(57)【要約】【課題】      スプ−ルのリブを細身に形成しても充分な支持強度が得られる魚釣用スピニングリ−ルを提供することである。【解決手段】  リブ４ｆの径方向外側接合部の中心点をＰ、リブ４ｆの径方向内側接合部の中心点をＱ、スプ−ル４の軸芯をＯ、中心点Ｐと軸芯Ｏを結ぶ線（スプ−ル軸芯から放射状に伸長する線）をＸとした時、中心点Ｑを線Ｘよりも釣糸巻回方向前方側に偏位させることで、スプ−ル外周（釣糸巻回胴部）に加わる回転方向の力Ｆをリブ４ｆの伸長する方向の軸線ｘにおける径方向内向きの力ｆａによってリブ４ｆの伸長方向に加重を分散することが出来る。【選択図】        図５
2006149208.tif 000002
【特許請求の範囲】
【請求項１】
リ−ル本体にスプ−ル軸を介して支持されたスプ−ルと、前記リ−ル本体に回転可能に支持されたロ−タと、前記ロ−タに支持され、釣糸放出位置と釣糸巻取り位置とに反転可能に取付けられた一対のベ−ル支持部材と、前記ベ−ル支持部材の一方側に取付けられ前記スプ−ルに釣糸を案内する釣糸案内部とを備えた魚釣用スピニングリ−ルにおいて、
前記スプ−ルを、前側フランジ部と釣糸巻回胴部と後側フランジ部と後側スカ−ト部とで形成された外側筒状体と、前記外側筒状体の径方向内側に位置するスプ−ル軸支持部と、前記外側筒状体における前方側端部近傍と前記スプール軸支持部の双方に接合して前記スプール軸支持部を支持する複数のリブとで形成し、前記リブにおける前記スプ−ル軸支持部側接合部の中心を、前記リブにおける前記外側筒状体側接合部の中心とスプ−ルの軸芯とを結ぶ線より釣糸巻回方向前方側に偏位させたことを特徴とする魚釣用スピニングリ−ル。
【請求項２】
前記外側筒状体と前記リブと前記スプ−ル軸支持部とが一体形成されていることを特徴とする請求項１記載の魚釣用スピニングリ−ル。
【請求項３】
前記リブにおける支持部側接合部の中心の左右の幅は、前記リブにおける前記外側筒状体側接合部の中心の左右より幅広に形成されていることを特徴とする請求項１又は２記載の魚釣用スピニングリ−ル。
【発明の詳細な説明】
【技術分野】
【０００１】
本発明は、スプ−ルにおける前側フランジ部近傍側とスプ−ル軸支持部との支持構造を改善した魚釣用スピニングリ−ルに関する。
【背景技術】
【０００２】
従来、魚釣用スピニングリ−ルはハンドルの回転でロ−タを回転駆動し、リ−ル本体に支持されたスプ−ルを前後動させることでスプ−ルの釣糸巻回胴部に釣糸を平行に巻回保持する構成である。
前記スプ−ルは、前側フランジ部と釣糸巻回胴部と後側フランジ部と後側スカ−ト部とスプ−ル軸支持部とリブとで形成されており、前記リブは通常、釣糸巻回胴部の径方向内側とスプ−ル軸支持部の外周との間に、周方向に所定の間隔を隔てて放射状に複数配置されている構成が一般的である。
前記の如くリブを構成することで、スプ−ルの釣糸巻回胴部とスプ−ル軸支持部間の大幅な肉抜きが可能となり、軽量化がなされている。
他方、釣糸巻回胴部内側までロ−タの進入を許容するべく、前側フランジ部近傍の径方向内側に、周方向に等間隔で配置された複数のリブを形成してスプ−ル軸支持部を支持する構成は従来から知られている。
【０００３】
しかし、前記リブは通常、放射状に配置されている為、釣糸巻回胴部に釣糸が巻回されると、その巻き締め力、及び釣糸に加わる張力により釣糸巻回胴部が径方向内側へ縮径してしまい、リブを介してスプ−ル軸支持部にその締付力を伝達してしまう為スプ−ル軸に対する支持部の嵌合がきつくなり、その結果スプ−ルの着脱が困難となる不具合が指摘されている。
また前記リブが放射状に配置されているので、大きな魚による釣糸の引出しや根掛かり等により生じる釣糸の張力によって釣糸巻回胴部に加わる釣糸の巻回方向への力ｆをリブによって支える為、リブを細くすると釣糸巻回胴部を支えきれなくなる。
そのためリブを細くするには限界があり、特に前側フランジ部近傍にリブを形成する形状のスプ−ルの場合、リブが太くならざるを得ず、スプ−ル前方側の重量増による持ち重り感が増し、長時間の釣りによる釣り人への負担が懸念されている。
前記状態を図８で述べると、リブ４ｋがスプ−ル軸支持部の中心から径方向外側に放射状に延びた構成で、中心をＯ０、中心から外周に延びる線をＸ、Ｘ線とスプ−ル軸支持部４ａの外周の交点をＱ０、Ｘ線と前側フランジ部近傍の径との交点をＰ０とすると、釣糸に張力が加わるとスプ−ル外周（釣糸巻回胴部）交点Ｐ０に回転方向（釣糸巻取り方向）への力Ｆが作用し、リブ４ｋにリブを倒す方向に加重Ｆ１がかかる。
この力に耐える為、リブはある程度の太さが必要である。
【０００４】
前記不具合を解消するべく特許文献１は、釣糸巻回胴部内側における巻回胴部の略全幅に渡って形成されたリブを放射方向軸線に対して傾斜させることで、釣糸巻回時に釣糸巻回胴部が縮径してスプ−ル軸支持部への締付力が伝達することを阻止し、釣糸の巻回されたスプ−ルを容易に着脱可能とする構成が開示されている。
【特許文献１】実公平４−４５５０６号公報
【０００５】
しかし前記特許文献１の構成は、前記の如き釣糸巻回胴部内側までロ−タの進入を許容するべく前側フランジ部近傍の径方向内側にリブを形成する構成の場合、釣糸巻回胴部に巻回される釣糸の巻き締め力はスプ−ル軸支持部に全く作用しないため、特許文献１の効果は一切奏し得ない構成である。
また、特許文献１の構成は、スプ−ルの中心を通り径方向に伸長する径方向線ｘに対してリブを釣糸の巻回方向後方側に所定角度傾斜することで形成されており、釣糸に張力が掛かった際に釣糸巻回胴部に加わる回転方向の力をリブで抑えることが困難であり、リブが変形する不具合を生じる。
前記状態を図９で述べると、中心をＯ１、リブ４ｍの幅の中心線Ｘ1とスプ−ル軸支持部４ａの外周の交点をＱ１、Ｘ１線と前側フランジ部近傍の径との交点をＰ１とすると、釣糸に張力が加わるとスプ−ル外周（釣糸巻回胴部）交点Ｐ１に回転方向（釣糸巻取り方向）への力Ｆが作用し、交点Ｑ１がＸ線より釣糸の巻回方向後方側に偏位しているため、Ｆが加わると、リブ４ｍを倒す方向の力Ｆ２が加わる。
又、リブ４ｍはＸ線に対して傾斜しているので交点Ｐ１には、リブの幅の中心線Ｘ１方向の径方向外側へ向かう力の成分ｆａ′が加わる為、リブに対して引っ張り方向の力が掛かることとなり、従来の放射方向リブと比較して、リブに加わる加重が増える。
その為、リブの強度を維持する為には、リブの肉厚を増やす、リブの数を増やす、リブを設ける範囲を広げる等、重量増となる対策案でのみしか強度が維持出来ない。
そのため特許文献１では釣糸巻回胴部内側の略全幅に渡ってリブを形成することでリブの変形に対処しているが、スプ−ルが充分な強度を得る為には広範囲に渡ってリブを形成する必要があり軽量化に限界がある。
前側フランジ部近傍の径方向内側にリブを形成する構成の場合、ロ−タの円筒部が釣糸巻回胴部内に進入してくるため、リブを形成できる範囲が限定されてしまい、充分なリブの強度を得難い。
その結果リブが破損してしまう恐れがあるため、特許文献１の如く傾斜させたリブの構成を転用することが困難である。
【０００６】
更に、図１０のようにリブ４ｎがスプ−ル軸支持部４ａの中心から径方向外側に放射状に延びた構成で、中心をＯ０、中心から外周に延びる線をＸ、Ｘ線とスプ−ル軸支持部４ａの外周の交点をＱ０、Ｘ線と前側フランジ部４ｂ近傍の径との交点をＰ０とすると、交点Ｐ０に張力Ｆが加わった時の交点Ｑ0 に加わる加重Ｆ′は、スプ−ル軸芯Ｏ０から交点Ｐ０までの距離Ｌａ、スプ−ル軸芯Ｏ０から交点Ｑ０までの距離Ｌｂとすると、Ｆ×Ｌａ＝Ｆ′×Ｌｂ、Ｆ′＝ＦＬａ／Ｌｂとなるので、交点Ｑ０には交点Ｐ０よりも大きな加重が加わることとなる。
そのため、交点Ｐ０と交点Ｑ０における接合部の強度を均等に近づけるには、ｌａ＜ｌｂの関係を維持する必要がある。
【発明の開示】
【発明が解決しようとする課題】
【０００７】
解決しようとする問題点は、リブをスプ−ル軸支持部の中心から径方向外側に放射状に延ばす構成では、リブにリブを倒す方向に加重Ｆ１がかかり、この力に耐える為、リブはある程度の太さが必要であったり、重量増となることである。
更に特許文献１のようにリブが釣糸の巻回方向後方側に傾斜していると、スプ−ル外周で回転方向への力Ｆが作用すると、リブを倒す方向の力Ｆ２が加わると共にリブに径方向外側へ向かう力の成分ｆａ′が加わる為、リブに対して引っ張り方向の力が掛かることで、従来の放射方向リブと比較して、リブに加わる加重が増える欠点がある。
【０００８】
本発明の目的は前記欠点に鑑み、スプ−ルのリブを細身に形成しても充分な支持強度が得られる魚釣用スピニングリ−ルを提供することである。
【課題を解決するための手段】
【０００９】
本発明の請求項１は、リ−ル本体にスプ−ル軸を介して支持されたスプ−ルと、前記リ−ル本体に回転可能に支持されたロ−タと、前記ロ−タに支持され、釣糸放出位置と釣糸巻取り位置とに反転可能に取付けられた一対のベ−ル支持部材と、前記ベ−ル支持部材の一方側に取付けられ前記スプ−ルに釣糸を案内する釣糸案内部とを備えた魚釣用スピニングリ−ルにおいて、
前記スプ−ルを、前側フランジ部と釣糸巻回胴部と後側フランジ部と後側スカ−ト部とで形成された外側筒状体と、前記外側筒状体の径方向内側に位置するスプ−ル軸支持部と、前記外側筒状体における前方側端部近傍と前記スプール軸支持部の双方に接合して前記スプール軸支持部を支持する複数のリブとで形成し、前記リブにおける前記スプ−ル軸支持部側接合部の中心を、前記リブにおける前側外側筒状体側接合部の中心とスプ−ルの軸芯とを結ぶ線より釣糸巻回方向前方側に偏位させたことを要旨とするものである。
本発明の請求項２は、前記外側筒状体と前記リブと前記スプ−ル軸支持部とが一体形成されていることを要旨とするものである。
本発明の請求項３は、前記リブにおける支持部側接合部の中心の左右の幅は、前記リブにおける前側外側筒状体側接合部の中心の左右より幅広に形成されていることを要旨とするものである。
【発明の効果】
【００１０】
本発明の請求項１及び２によれば、リブにおけるスプ−ル軸支持部側接合部の中心を、リブにおける外側筒状体側接合部の中心とスプ−ル軸芯とを結ぶ線より釣糸巻回方向前方側に偏位させることで、釣糸の張力によってリブに加わる回転方向の荷重をリブの伸長する方向における径方向内側へ分散することが出来るので、前記外側筒状体における前方側端部近傍にリブを形成した際にリブが外側筒状体を支える支持強度が増す。
よって、リブを従来の太さより細身に形成しても充分な支持強度を得ることが可能となり、軽量化が可能となる。
本発明の請求項３によれば、リブの外側筒状体側接合部の中心の左右の幅より高い負荷の加わる支持部側接合部の中心の左右を幅広に形成することで、リブに加わる荷重の違いによる支持部側接合部近傍への応力集中を解消し、リブの径方向部位毎に異なる応力に応じた最適なリブの幅とすることが出来るので、リブ全体で応力を分散して釣糸張力によるリブの変形を防ぐことが可能となる。
【発明を実施するための最良の形態】
【００１１】
魚釣用スピニングリ−ルのスプ−ル４は、前側フランジ部４ｂと釣糸巻回胴部４ｃと後側フランジ部４ｄと後側スカ−ト部４ｅとで構成された外側筒状体４ｐと、複数のリブ４ｆと、スプ−ル軸支持部４ａとで形成され、スプ−ル軸支持部４ａの中心に回り止め孔４ｇが形成されている。
前記スプ−ル軸支持部４ａは、外側筒状体４ｐの前方側端部近傍である前側フランジ部４ｂ近傍の内周面に接合された前記複数のリブ４ｆで支持し、前記リブ４ｆにおける前記スプ−ル軸支持部４ａ側接合部４ｏの中心Ｑを、前記リブ４ｆにおける外側筒状体４ｐ側接合部４ｌの中心Ｐとスプ−ル４の軸芯Ｏとを結ぶ線Ｘより釣糸巻回方向前方側に偏位させている。
【実施例１】
【００１２】
以下、図示の実施例によって本発明を説明すると、図１から図５は第１実施例で、図１は魚釣用スピニングリ−ルの側面図、図２は魚釣用スピニングリ−ルの要部断面側面図、図３はスプ−ルの拡大断面側面図、図４はスプ−ルの正面図、図５はスプ−ルの要部拡大正面説明図である。
【００１３】
リ−ル本体１の前側に突出した図示しない回転軸筒にロ−タ２が取り付けられて図示しない駆動歯車を介してハンドル１０で回転される。
図示しない回転軸筒の中を挿通されたスプ−ル軸３の先端にスプ−ル４のスプ−ル軸支持部４ａが着脱可能に嵌合されている。
ロ−タ２は図示しない筒部で図示しない回転軸筒に取り付けられ、大径の筒部２ａと大径の筒部２ａの基部の外周から前方に向けて突出された一対の図示する支持腕２ｂと図示しない支持腕とで形成されている。
一対の図示する支持腕２ｂと図示しない支持腕に夫々一方のベ−ル支持部材１１と他方の図示しないベ−ル支持部材が取り付けられて釣糸巻取状態と放出状態に反転自在に軸承されている。
一方のベ−ル支持部材１１にはロ−ラからなる釣糸案内部１２の取付部１３が取り付けられている。
他方の図示しないベ−ル支持部材と釣糸案内部１２の取付部１３の間にベ−ル１４が取り付けられている。
【００１４】
スプ−ル軸３はリ−ル本体１内に設けられた図示しないオシレ−ト機構で前後に往復動される。
スプ−ル軸３の先側は太径部３ａと、太径部３ａに設けられた回り止め部３ｂと、太径部３ａの前側に設けられた小径部である周溝３ｃと、周溝３ｃの前側のネジ部３ｄとで形成されている。
スプ−ル軸３の太径部３ａ外周にスプ−ル４のスプ−ル軸支持部４ａが嵌合され、周溝３ｃに抜け止めリング１５が嵌合され、ネジ部３ｄにツマミ５がナット１６で螺合されている。
スプ−ル４の外形は、前側フランジ部４ｂと釣糸巻回胴部４ｃと後側フランジ部４ｄと後側スカ−ト部４ｅとで構成された外側筒状体４ｐと、複数のリブ４ｆと、スプ−ル軸支持部４ａとで形成されてスプ−ル軸支持部４ａの中心に回り止め孔４ｇが形成され、リブ４ｆの間に透孔４ｈが形成されている。
前記スプ−ル軸支持部４ａは、外側筒状体４ｐの前方側端部近傍である前側フランジ部４ｂ近傍の内周面に接合された前記複数のリブ４ｆで支持し、前記リブ４ｆにおける前記スプ−ル軸支持部４ａ側接合部４ｏの中心Ｑを、前記リブ４ｆにおける外側筒状体４ｐ側接合部４ｌの中心Ｐとスプ−ル４の軸芯Ｏとを結ぶ線Ｘより釣糸巻回方向前方側に偏位させている。
【００１５】
前記のようにリブ４ｆを、図５で、リブ４ｆの径方向外側接合部の中心点をＰ、リブ４ｆの径方向内側接合部の中心点をＱ、スプ−ル４の軸芯をＯ、中心点Ｐと軸芯Ｏを結ぶ線（スプ−ル軸芯から放射状に伸長する線）をＸとした時、中心点Ｑを結ぶ線Ｘよりも釣糸巻回方向前方側に偏位させることで、スプ−ル外周（釣糸巻回胴部）に加わる回転方向の力Ｆをリブ４ｆの伸長する方向の軸線ｘにおける径方向内向きの力ｆａによってリブ４ｆの伸長方向に加重を分散することが出来る。
よってリブを倒す方向に作用する力Ｆ３が小さくなり、従来技術の放射方向のリブや特許文献１の構成のリブに比べてリブ４ｆを倒す方向の力が少なくなるので、リブ４ｆの肉厚を減少したり、細くする、あるいは、リブを形成する範囲を減らしても、必要充分な強度を維持出来、あるいは軽量化の実現が可能になる。
【００１６】
前記のように魚釣用スピニングリ−ルが構成されると、リブ４ｆにおけるスプ−ル軸支持部４ａ側接合部４ｏの中心Ｑを、リブ４ｆにおける外側筒状体４ｐ側接合部４ｌの中心Ｐとスプ−ル軸芯Ｏとを結ぶ線Ｘより釣糸巻回方向前方側に偏位させることで、釣糸の張力によってリブ４ｆに加わる回転方向の荷重をリブ４ｆの伸長する方向における径方向内側へ分散することが出来るので、前記外側筒状体における前方側端部近傍にリブを形成した際にリブ４ｆが外側筒状体４ｐを支える支持強度が増す。
よって、リブ４ｆを従来の太さより細身に形成しても充分な支持強度を得ることが可能となり、軽量化が可能となる。
【実施例２】
【００１７】
図６は第２実施例で、図６はスプ−ルの要部拡大正面説明図である。
【００１８】
第２実施例では、リブ４ｉの幅の一側が、スプ−ル軸支持部４ａの描く円の接線で形成され、リブ４ｉの幅の他側はスプ−ル軸支持部４ａ側で幅が広くなるように形成されている。
他の構成は前記第１実施例と略同一である。
前記のように魚釣用スピニングリ−ルが構成されると、リブ４ｆの外側筒状体４ｐ側接合部４ｌの中心Ｐの左右の幅より高い負荷の加わる支持部４ａ側接合部４ｏの中心Ｑの左右を幅広に形成することで、リブ４ｆに加わる荷重の違いによる支持部４ａ側接合部近傍への応力集中を解消し、リブ４ｆの径方向部位毎に異なる応力に応じた最適なリブ４ｆの幅とすることが出来るので、リブ４ｆ全体で応力を分散して釣糸張力によるリブ４ｆの変形を防ぐことが可能となる。
【実施例３】
【００１９】
図７は第３実施例で、図７はスプ−ルの正面図である。
【００２０】
第３実施例では、リブ４ｊは長さの中央が湾曲した形状に形成されている。
他の構成は前記第１実施例と略同一である。
【図面の簡単な説明】
【００２１】
【図１】第１実施例で、魚釣用スピニングリ−ルの側面図である。
【図２】同魚釣用スピニングリ−ルの要部断面側面図である。
【図３】同スプ−ルの拡大断面側面図である。
【図４】同スプ−ルの正面図である。
【図５】同スプ−ルの要部拡大正面説明図である。
【図６】第２実施例で、スプ−ルの要部拡大正面説明図である。
【図７】第３実施例で、スプ−ルの正面図である。
【図８】リブが放射方向の従来のスプ−ル要部拡大正面説明図である。
【図９】特許文献１で示されたリブが傾斜したスプ−ルの要部拡大正面説明図である。
【図１０】他のリブが放射方向の従来のスプ−ル要部拡大正面説明図である。
【符号の説明】
【００２２】
１  リ−ル本体
２  ロ−タ
３  スプ−ル軸
４  スプ−ル
４ａ  スプ−ル軸支持部
４ｂ  前側フランジ部
４ｃ  釣糸巻回胴部
４ｄ  後側フランジ部
４ｅ  後側スカ−ト部
４ｆ、４ｉ、４ｊ、４ｋ、４ｍ、４ｎ  リブ
４ｌ、４ｏ  接合部
４ｐ  外側筒状体
【図１】
2006149208.tif 000003
【図２】
2006149208.tif 000004
【図３】
2006149208.tif 000005
【図４】
2006149208.tif 000006
【図５】
2006149208.tif 000007
【図６】
2006149208.tif 000008
【図７】
2006149208.tif 000009
【図８】
2006149208.tif 000010
【図９】
2006149208.tif 000011
【図１０】
2006149208.tif 000012